(57)【要約】【課題】現在の課題である環境配慮型の包装形態とすると共に、メーカー側にはトータルコストの軽減と、消費者側には手間削減に等の各方面で利便性の提供を確保するパッケージ形態とする事。【解決手段】包装資材のトータルコスト軽減を可能とする為に、極力省プラスチック化を図り、環境配慮基材を利用して、現行多くの洗剤メーカー手持ちの簡易な設備で対応可能なパウチ形状を採用し、詰め替え作業時に補助具上面が平衡化させる機能を発揮させる事によりボトル上での転倒防止機能が加わり、消費者に手放し状態が可能と成り、手間を掛けない、コストの安い経済的な詰め替えパウチの提供を可能とした。【選択図】図１
2020186030.tif 000002
【特許請求の範囲】
【請求項１】
スパウト付きフィルムパウチと、スパウトを突出させるための穴もしくはカット部で取り除かれた開口部を備えた平坦状の上面と、スパウト付きフィルムパウチの側面と底面を支える補助具でなる補助具付き詰め替えパウチ。
【請求項２】
前記補助具は、厚紙又は石灰石原料紙又は植物由来プラスチック素材から成る事を特徴とした請求項１の補助具付き詰め替えパウチ。
【請求項３】
前記補助具の開口部は、詰め替え時の重量バランスを取るため、上面視で、前後左右の中心に施されたことを特徴とする請求項１又は２の補助具付き詰め替えパウチ。
【請求項４】
補助具とフィルムパウチの互いが一部又は全面で接着され、固定化させたことを特徴とする請求項１乃至３のいずれか一項でなる補助具付き詰め替えパウチ。
【請求項５】
フィルムパウチの肩部及び底部の角部が内容液の抽出を容易にする形状のＵ字形もしくは台形にシールされた事を特徴とする請求項１乃至４のいずれか一項に記載の補助具付き詰め替えパウチ。
【発明の詳細な説明】
【技術分野】
【０００１】
本発明は、フィルムパウチと外装具からなる詰め替え用容器に関する。
【背景技術】
【０００２】
洗剤等の詰め替え用に使用されるパウチの代表的ラミネート材構成はＯ-ＮＹ//ＬＬＤＰＥ、ＰＥＴ//Ｏ-ＮＹ//ＬＬＤＰＥ、Ｏ-ＮＹ//ＶＭ-ＰＥＴ//ＬＬＤＰＥ、ＰＥＴ//ＡＬ//Ｏ-ＮＹ//ＬＬＤＰＥ等である。今日、プラスチック素材の多用化の流れと廃棄物問題が国際的に取り上げられている中で、詰め替え用パウチ等でゴミ総量の減容化を図る事は良い方向性であるが、パウチ自身もまた店頭での自立性確保の目的よりから、厚手のラミネート材を使用する傾向が有る。一般的な現行上部詰め替え口タイプのパウチは手を添えての詰め替え作業が前提と成るが、最近開発された詰め替え時パウチで詰め替え対象ボトル上に倒立させ、手を添える事を改善したタイプの物も発売されている。しかしそれらも同様で、自立性確保の為肉厚の厚い物が必要と成って来る。上記のパウチ仕様は種々のプラスチック素材を多層ラミネートした厚肉のフィルム構成と成って居るが、時代の要求であり包装資材として目標としなければ行けない環境面への配慮や、環境3R の意識から、年々薄肉化も進み、使い勝手と商品保持性の機能面から、各種プラスチック材料も組み合わせ等にも、自立性とREDUCTION(軽量化)の両立を考慮した開発がなされている。また、廃棄性の問題から、バリア層にアルミ箔を用いたラミネート仕様から、蒸着手法材を使用したタイプへの置き換えが進んでいる。一方で注ぎ性と易使用性を目的とした差別化は不可欠で、その為に各メーカーでは色々なパウチ形状の検討や、注ぎ口の形態等で利便性を向上した包装形態の研究開発を進めながらプラスチック素材を成るべく減容化した仕様で且つ、消費者の老齢化に向けて簡便で使い勝手の良い製品化への対応を目指している。
【先行技術文献】
【特許文献】
【０００３】
【特許文献１】特願２０１３−１３９８８５
【発明の概要】
【発明が解決しようとする課題】
【０００４】
例えば特許文献１の特開２０１３−１３９８８５のスパウトはスパウト内部に隔壁部を有しており、詰め替え用のボトル口部内に備え付けられたくちばし状のノズル部で内部の隔壁部を突き破り内容液を注ぎ入れる方法で詰め替えを行うものである。しかし液体洗剤等の大型ブローボトルの場合はその様な形状の物が多いが、本発明の対象と成るシャンプー、リンス等の風呂場で使用する液体洗剤容器の場合、この様な仕様のくちばし状のノズル品は使用しておらず、詰め替え用ボトルのポンプを使用して抽出する。一般的な詰め替えスパウトを用いてパウチ本体とシールする方法で内容物を抽出する」と有り、フランジ部の形状、大きさを請求項で指定しているが、これは詰め替え時に詰め替え対象ボトルに倒立させる際にパウチを平衡化させ安定させるためにこの必要性が生じており、これらを別案で解決する事も課題の一つと成って居る。
また、本発明が解決しようとする課題には、環境に配慮した素材を使う事と、必要最小限度のプラスチック使用量を目指す事と、生産者である洗剤充填メーカー側の生産設備の大幅な変更の伴わない包装形態で、消費者に向けては従来の詰め替え用パウチの様に、詰め替え作業時にボトル口部にパウチの詰め替え口を差し込み、詰め替え対象ボトル上で倒れない様に長時間最後まで手でパウチ本体も支えて居なければならない等々の詰め替え作業の問題の解消をも課題としている。
【課題を解決するための手段】
【０００５】
上記目的を達成する為に、本発明は下記の構成要因で解決しようとしている。
（１）ラミネートフィルム基材に溶着されたスパウトを有するフィルムパウチが内在し、上面に抽出口と成るスパウトを突出させるための穴もしくはカット部で取り除かれた開口部を備え、側部と底部を有し、外面より支える補助具で覆われた事からなる補助具付き詰め替えパウチにより解決手段としている。
（２）前記補助具は、厚紙又は石灰石原料紙又は植物由来プラスチック素材から成る事を特徴とした補助具付き詰め替えパウチにより解決手段としている。
（３）前記補助具の開口部は、詰め替え時の重量バランスを取るため、上面視で、前後左右の中心に施されたことを特徴とする補助具付き詰め替えパウチにより解決手段としている。
（４）補助具とフィルムパウチの互いが一部又は全面で接着され、固定化させたことを特徴とする補助具付き詰め替えパウチにより解決手段としている。
（５）内部に収納されたフィルムパウチの肩部及び底部の角部が内容液の抽出を容易にする形状のＵ字形もしくは台形にシールされた事を特徴とする補助具付き詰め替えパウチにより解決手段としている。
【発明の効果】
【０００６】
（１）本発明の補助具付き詰め替えパウチは、内容液が入るフィルムパウチ部分は従来仕様品の様に厚手の多層品としない必要最小限度の肉厚仕様で、低密度ポリエチレン(LLDPE）を最内層として、外層にナイロン（O-NY）又はポリエチレンテレフタレート（PET）にアルミやシリカ素材の蒸着加工を施した構成張り合わせ品でも可能で、またそうした薄肉品仕様品であることを特徴として居る。
（２）上記仕様のラミネートフィルムにスパウトを取り付けて出来たフィルムパウチは薄肉軟質で有る事より内溶液を充填後の保形性、強度が乏しく、店頭での自立性や、詰め替え時にボトル上での安定性させる事が困難であり、外面より箱状の補助具で一体化させる方法で組み合わせる事でフィルムに求められる物流時の強度や自立性が、補完される。本発明の場合この補助具付きパウチと成す構造とすることにより相互の機能と長所を活用する効果を作り出せる。
（３）本発明の場合は詰め替え時の詰め替え対象ボトル上での倒立時に、フィルムパウチ部に接合した特に大きなフランジ部スパウトを必要としないで、補助具をパウチスパウト首下に外面より肩状に折り曲げる事で、詰め替え対象ボトル上での剛性を付与し平衡化を確保する手段としている点が先願の他の諸案と異なる部分である。
（４）消費者は製品を購入後に本発明の補助具で包まれたパウチ上部のスパウト部を開栓し、詰め替え対象ボトル上に倒立させて乗せ込む。ポンプ部の口径同様サイズに設計されたスパウト口内に詰め替え対象ボトルを差し入れ、内容液をボトル内に流入させる。
（５）本フィルムパウチは必要最小限の薄肉フィルムで構成されて居る事より外気圧で押され内容液はボトル内に流入するがその際にフィルムパウチは底部周辺で補助具と接着されて居る事より、詰め替え対象ボトル上に倒立セットした場合、逆さに吊り下げられた形態と成り内容液がより容易に詰め替えられる構造と成って居る。
（６）補助具上部折曲げ部の持つ剛性と補助具上面の中心に位置したスパウト部とがボトル口部上で平板機能と成り平衡を保ち、安全に詰め替えが行われる仕様と成り、消費者の手放し詰め替えを可能とさせる利便性を実現する案とした。
（７）従来品のフィルムパウチ用基材の場合、フィルムにグラビア印刷等で表示印刷を行い、それをラミネート加工にする工程には必要数量確保に多くのメーター数を必要とするが、本発明の場合フィルムパウチ部は薄肉の無地品でも良く、その場合必要加飾表示は補助具部分で可能と成り、紙仕様基材の場合は少量でも可能な印刷技法が多く有り、総合的に安価で環境に優しい省資源化の形態での構成が可能と成りそれらの点も本発明の特徴と成って居る。
【図面の簡単な説明】
【０００７】
【図１】補助具付き詰め替えパウチ実施例  （a）補助具付き詰め替えパウチ図  （b）フィルムパウチ図
【図２】補助具展開図
【図３】詰め替え実施例図
【発明を実施するための形態】
【０００８】
本発明はフィルムパウチと補助具の形態と機能を組合せたことからなる構成の補助具付き詰め替えパウチで有り、補助付き詰め替えパウチ実施例と、その内部に位置するフィルムパウチそれらを使用した詰め替え作業図を以下の様に示す。以下図面によって構成要素、機能等を含め以下説明致します。本資料に於いてラミネート基材にプラスチック成型品から成るスパウトを付けた物をフィルムパウチと呼び、厚紙又は石灰石原料紙又は植物由来プラスチック素材から成る外装材を補助材と呼び、巻き付けて部分的に張り合わせた本発明の最終形態品を補助具付き詰め替えパウチと呼ぶ。（以下図面上の同一番号は又は符号は同一内容、同一仕様を表して居る）
【０００９】
図１は本発明の補助具付き詰め替えパウチ実施例で図１の図（a）は補助材付き詰め替えパウチ図で補助具付き詰め替えパウチＡは補助具Ｂで外装され、内部にスパウトＤが溶着されたフィルムパウチＣに内容液が充填シールされ内装されている。スパウトＤが補助具上部の抽出口と成るスパウトを突出させるための穴もしくはカット部と成る開口部１と折り曲げ部２が備えられている。図1の図（２）は図(b)の内蔵されるフィルムパウチＣにスパウトＤが取り付けられ肩部が円形状にサイドシール３が施され、底部にパウチ充填口４を有する。フィルムパウチＣに取り付けられるスパウトＤのシール部分は船形形状の物でも良い。
【００１０】
図２は補助具展開図で補助具Ｂは開口部１と補助具上部折曲げ部２が上面に施され、補助具下部折曲げ部５が下部にあり接着部６が配置されている。図２は補助具の形態の一例である。
【００１１】
図３は詰め替え実施例図で詰め替え対象ボトルＥの口部に補助具付き詰め替えパウチＡは、補助具Ｂの補助具上部折曲げ部２と共にスパウトＤが挿入された倒立した詰め替え時の状態を表して居る。内蔵されたフィルムパウチＣは補助具Ｂの底部で接着部６により接着されている。
【産業上の利用可能性】
【００１２】
本発明の特徴は、従来品の場合の詰め替え対象ボトルへの消費者の詰め替え時の課題と成なっている、倒れない様に手を添える手間の省略化と簡便さを、環境に優しい補助具の剛性と平滑性を活用して包むことにより安定感ある詰め替え作業を担保している。コンパクトさと使い易さ、コストダウン、省プラ、省ゴミ等々と合わさって多様な利便性を可能とする事に結び付く発明である点が産業上の利用可能性と云える。
【符号の説明】
【００１３】
Ａ    補助具付き詰め替えパウチ
Ｂ    補助具
Ｃ    フィルムパウチ
Ｄ    スパウト
Ｅ    詰め替え対象ボトル
１    開口部
２    補助具上部折曲げ部
３    サイドシール
４    パウチ充填口
５    補助具下部折曲げ部
６    接着部
【図１】
2020186030.tif 000003
【図２】
2020186030.tif 000004
【図３】
2020186030.tif 000005